(57)【要約】      （修正有）【課題】予定時刻に設定することや、時刻調整することを容易にする。【解決手段】目覚し時刻合わせつまみ兼目安針６、時刻調整つまみ７、アラーム起動つまみ８を本体前面に配置し、利用者が自らの指の動きを目視しながら確実に操作できるようにした。また、目覚し時刻設定つまみ兼目安針６は従来の目覚し時計における目覚し時刻設定つまみと目安針を一体化したもので、時針５、分針４と同軸、かつ文字盤２を覆い保護する透明カバー３の外側前方に配置し、簡易に予定時刻を設定可能とするとともに、目覚し時刻設定つまみ兼目安針６を操作する際、誤って時針５、分針４に指が触れることがない。【選択図】          図１
2005003655.tif 000002
【特許請求の範囲】
【請求項１】
目覚し時計に備わっている全ての調整、設定装置である目覚まし時刻合わせつまみ、時計時刻合わせつまみ、アラーム起動つまみを当該目覚し時計の本体前面に配置したことを特徴とする目覚し時計。
【請求項２】
目覚し時刻合わせつまみを、当該目覚し時計の目安針と一体化し、かつ時針及び分針と同軸に配置し、更に文字盤を覆い保護する透明カバーの外側前方に配置したことを特徴とする目覚し時計。
【請求項３】
目覚し時計本体前面、または当該目覚し時計の文字盤を覆い保護する透明カバーの表面上に、点字による時刻表示と、各時刻の角度を示す突起を配置したことを特徴とする目覚し時計。
【発明の詳細な説明】
【０００１】
【発明の属する技術分野】
本発明は、高齢者、身障者、健常者を問わず誰もが、操作方法を理解しやすく、かつ操作しやすい目覚し時計を低コストで提供するものに関する。
【０００２】
【従来の技術】
目覚し時計は、周知のように、利用者が任意に設定した予定時刻にアラームを鳴動し、利用者に予定時刻の到来を知らせる時計である。小型のものは腕時計、置時計、掛時計、家具に内臓される時計から大型のものは建物の壁面等に設置されるものまで多種多様のものが知られている。
【０００３】
このような目覚し時計の一種に、時刻合わせや目覚し予定時刻合わせの操作性を容易にしているものもある（例えば、特許文献１参照。）。
【０００４】
【特許文献１】
特開平９−１１９９８７
【０００５】
【発明が解決しようとする課題】
目覚し時計を利用する者にとって、確実に予定時刻を設定し、アラームが鳴るようにすることは極めて重要である。しかし、従来の目覚し時計では、各操作スイッチ、つまみ等が本体裏面に設けられており、利用者は裏面のつまみを操作する自らの指の動きを目視できないため指の感覚だけで操作しなければならず、目的の起床時刻に設定することが簡易にはできなかった。また、時刻調整する場合も同様の理由により、簡易に調整できなかった。これらの課題を解決するためには、利用者が自らの指の動きを目視しながら、設定や調整をできるようにすることが必要であると考えた。更に、目の不自由な人でも目覚し時計を利用できるような工夫も必要であると考えた。
【０００６】
【課題を解決するための手段】
目覚し時計に備わっている全ての設定、調整装置である目覚し時刻合わせつまみ、時計時刻合わせつまみ、アラーム起動つまみを当該目覚し時計本体前面に配置し、利用者が自らの指の動きを目視しながら確実にわかりやすく操作できるようにした。
【０００７】
目覚し時刻設定つまみを、当該目覚し時計において目覚し予定時刻を表示する目安針と一体化し、かつ時針及び分針と同軸に配置することにより、一目瞭然かつ簡易に予定時刻（起床時刻等）を設定可能とし、更に予定時刻設定時に誤って当該目覚し時計の時針、分針に指が触れることがないようにするため、目覚し時刻設定つまみ兼目安針を、文字盤を覆い保護する透明カバーの外側前方に設置した。
【０００８】
目覚し時計本体前面、または当該目覚し時計の文字盤を覆い保護する透明カバーの表面上に設けた点字による時刻表示と、各時刻の角度を示す突起に触れながら、目覚し時刻設定つまみ兼目安針を操作することにより、目の不自由な人でも希望の予定時刻に設定できるようにした。
【０００９】
【発明の実施の形態】
以下、本発明を図示の具体例に基いて詳細に説明する。
【００１０】
図１は本発明の一実施例による目覚し時計の前方斜視図である。目覚し時計は本体（１）、文字盤（２）、透明カバー（３）、分針（４）、時針（５）、目覚し時刻合わせつまみ兼目安針（６）、時刻調整つまみ（７）、アラーム起動つまみ（８）、点字時刻表示（９）、各時刻の角度を示す突起（１０）から構成されている。
【００１１】
目覚し時刻合わせつまみ兼目安針（６）、時刻調整つまみ（７）、アラーム起動つまみ（８）は、従来の目覚し時計のように本体背面ではなく、本体前面に位置し、利用者が操作する際、自らの目で設定の操作状況を確認することができる。
【００１２】
図２は本発明の一実施例による目覚し時計の略断面図である。目覚し時刻合わせつまみ兼目安針（６）は、分針（４）、時針（５）と同軸上に配置されており、希望の予定時刻に一目瞭然かつ簡易に設定することができる。さらに目覚し時刻合わせつまみ兼目安針（６）は、透明カバー（３）の外側前方にあり、分針（４）、時針（５）とは透明カバー（３）により隔てられているため、予定時刻設定時に誤って分針（４）、時針（５）に触れる心配がない。
【００１３】
目覚し時計本体（１）前面または透明カバー（３）の表面に設けた点字時刻表示（９）と各時刻の角度を示す突起（１０）に触れながら、目覚し時刻設定つまみ兼目安針（６）を操作することにより、目の不自由な人でも希望の予定時刻に設定できるようにした。本実施例では、透明カバー（３）の表面に、点字時刻表示（９）と各時刻の角度を示す突起（１０）を設けた場合を図示している。
【００１４】
図３は従来の目覚し時計の前方斜視図である。同じく図４は従来の目覚し時計の後方斜視図である。従来の目覚し時計では、目安針（９）は本体前面の文字盤内に分針（４）、時針（５）と同軸に配置され、本体後面に配置された目覚し時刻合わせつまみ（１０）とは分離している。
【００１５】
図１及び図２に示すように本発明による目覚し時計では、目安針（９）と目覚し時刻合わせつまみ（１０）は一体化されており、前述のように簡易に操作できるだけでなく、目覚し時計の構造が簡素化され、製造コストの低減も可能である。
【００１６】
【発明の効果】
本発明の目覚し時計により、利用者は時計の裏面のつまみを探すことなく、即座に操作方法を理解でき、また自らの指の動きを目視しながら確実に設定及び調整操作が可能である。
【００１７】
本発明の目覚し時計により、利用者は目覚し時刻を設定する場合、直接、目覚し時刻合わせつまみ兼目安針を目視しながら操作することにより、簡易かつ確実に予定時刻を設定できる。
【００１８】
本発明の目覚し時計では、点字時刻表示と各時刻の角度を示す突起に触れながら、目覚し時刻合わせつまみ兼目安針を操作することにより、目の不自由な人でも希望の予定時刻に設定できる。
【００１９】
本発明の目覚し時計では、目覚し時刻設定における予定時刻を表示する機能（目安針）と、予定時刻を設定するつまみを一体化することにより、目覚し時計の構造を簡素化し、製造コストを低減することが可能である。
【図面の簡単な説明】
【図１】図１は本発明の一実施例による目覚し時計の前方斜視図である。
【図２】図２は本発明の一実施例による目覚し時計の略断面図である。
【図３】図３は従来の目覚し時計の前方斜視図である。
【図４】図４は従来の目覚し時計の後方斜視図である。
【符号の説明】
１    本体
２    文字盤
３    透明カバー
４    分針
５    時針
６    目覚し時刻合わせつまみ兼目安針
７    時刻調整つまみ
８    アラーム起動つまみ
９    点字時刻表示
１０  各時刻の角度を示す突起
１１  目安針
１２  目覚し時刻合わせつまみ
【図１】
2005003655.tif 000003
【図２】
2005003655.tif 000004
【図３】
2005003655.tif 000005
【図４】
2005003655.tif 000006